(57)【特許請求の範囲】
【請求項１】
Ａ．円筒状の胴と、
Ｂ．この胴の一方の開口端に張られ、硬度の高い材質の線材によって形成された第１網状ドラムヘッドと、
Ｃ．この第１網状ドラムヘッドに張力を与える加張手段と、
Ｄ．上記胴に装着され上記第１網状ドラムヘッドの振動を電気信号に変換する第１振動ピックアップと、
Ｅ．上記第１網状ドラムヘッドの振動に対応してスナッピー信号を生成するスナッピー音発生手段と、
Ｆ．このスナッピー音発生手段で発生したスナッピー信号を上記第１振動ピックアップから出力される電気ドラム信号に加えるミキサ装置と、
Ｇ．このミキサ装置で加算された電気信号を上記胴の外部に導出する電気コネクタと、
によって構成したことを特徴とする電気スネアドラム。
【請求項２】
請求項１記載の電気スネアドラムにおいて、上記スナッピー音発生手段を上記胴に装着した共鳴板と、一端側がこの共鳴板に保持され、他端側が上記網状ドラムヘッドの裏面に弾性的に圧接され弾性材で形成された響き線と、上記共鳴板に装着した圧電変換素子とによって構成し、この圧電変換素子に発生したスナッピー信号を上記振動ピックアップに発生する電気ドラム信号とミキサ装置で加算し、上記電気コネクタから取り出す構成としたことを特徴とする電気スネアドラム。
【請求項３】
Ａ．入力端子に電気ドラム信号が入力され、この電気ドラム信号を増幅してスピーカから網状ドラムヘッドの振動を音として放音する拡声装置と、
Ｂ．この拡声装置に付設された白色ノイズ発生器と、この白色ノイズ発生器が出力する白色ノイズと上記電気ドラム信号とを乗算する乗算器とによって構成したスナッピー音発生手段と、
Ｃ．このスナッピー音発生手段で発生したスナッピー信号を上記電気ドラム信号に加算する加算手段と、
Ｄ．この加算手段で加算した信号をスネアドラム音として放音させる拡声手段と、
によって構成したことを特徴とする電気スネアドラム用拡声装置。
【請求項４】
Ａ．円筒状の胴と、
Ｂ．この胴の一方の開口に差し渡されて配置された複数本の響き線によって構成されたスナッピーと、
Ｃ．このスナッピーの上面に被せられ、硬度の高い材質の線材によって形成された第１網状ドラムヘッドと、
Ｄ．上記スナッピーに張力を加えた状態と、緩めた状態に切り替える切替手段と、
Ｅ．上記第１網状ドラムヘッドに張力を与える加張手段と、
Ｆ．上記胴に装着され、上記第１網状ドラムヘッドの振動と、上記スナッピーの振動を電気信号に変換する第１振動ピックアップと、
Ｇ．この第１振動ピックアップから出力される電気信号を上記胴の外部に導出する電気コネクタと、
によって構成したことを特徴とする電気スネアドラム。
【請求項５】
Ａ．円筒状の胴と、
Ｂ．この胴の一方の開口端に張られ、硬度の高い材質の線材によって形成された第１網状ドラムヘッドと、
Ｃ．上記円筒状の胴の他方の開口端に張られて配置され、上記第１網状ドラムヘッドとほぼ同等の構造の第２網状ドラムヘッドと、
Ｄ．この第２網状ドラムヘッドの外面に沿って配置され、複数本の響き線によって構成したスナッピーと、
Ｅ．上記スナッピーに張力を加えた状態と、緩めた状態に切り替える切替手段と、
Ｆ．上記第１及び第２網状ドラムヘッドに張力を与える加張手段と、
Ｇ．上記胴に装着され、上記第１網状ドラムヘッドの振動を電気信号に変換する第１振動ピックアップと、
Ｈ．上記胴に取り付けられ、上記第２網状ドラムヘッドと、上記スナッピーの振動を電気信号に変換する第２振動ピックアップと、
Ｉ．これら第１及び第２振動ピックアップから出力される電気信号を加算して上記胴の外部に導出する電気コネクタと、
によって構成したことを特徴とする電気スネアドラム。
【請求項６】
請求項１，４，５の何れかの電気スネアドラムにおいて、上記加張手段の何れかの部分に第３振動ピックアップを装着し、この第３振動ピックアップにより上記加張手段を構成するリムに与えられる打撃を電気信号に変換し、この電気信号を上記第１及び第２振動ピックアップが出力する信号に加算して、上記電気コネクタから出力する構成としたことを特徴とする電気スネアドラム。
【発明の詳細な説明】
【０００１】
【発明の属する技術分野】
この発明は電気信号によってスネアドラムの音を拡声装置から放音させる電気スネアドラムに関する。
【０００２】
【従来の技術】
スネアドラムとはドラムの裏側のドラムヘッド（皮）に響き線（スナッピー）を接触させて配置し、表側のドラムヘッドを叩くことにより、裏側のヘッドが共鳴し、ドラムの音に加えて響き線のザー、ザーという音を発生させる構造のドラムを指す。
【０００３】
通常のスネアドラム（以下アコースチックスネアドラムと称す）の音を多くの聴衆に聴かせるには音をマイクロホンで集音し、この音声信号を拡声装置によって拡声する方式がある。この場合スネアドラムの音だけでなく周りの雑音も集音してしまい、またドラムセット内の他のドラムやシンバルの音も拾ってしまい、それらの雑音も拡声して聞こえてしまう不都合がある。また拡声音の音量を上げると拡声音がマイクロホンに拾われハウリングを起こし易くなる不都合もある。
【０００４】
このため、従来からゴムなどの軟質高分子材料や繊維を用いたドラムヘッドを有し、これを叩いて発生した振動を打撃検出センサーによりトリガー及びレベルの電気信号として検出する打撃検出装置（打撃パッド）と、この検出信号を音源回路に与え、選択した音源回路（この場合はスネアドラムの音の波形を発生する音源回路）を起動させ、目的とするスネアドラムの音を拡声装置から発生させる形式の電子スネアドラムが考えられている。
【０００５】
この形式の電子スネアドラムはパッド自体からは楽器の音は発生せずに、楽器音を発生するのは音源回路であるので、雑音を含まない目的のスネアドラムの音だけを拡声音として聴かせることができるから聴感は良好である。
【０００６】
【発明が解決しようとする課題】
しかしながら、電子スネアドラムは打撃パッドの衝撃振動の開始（トリガー）とそのレベルのピーク値を検出して、これに基づいて音源回路を起動させるものであるから、演奏者がドラムの叩き具合によって音の音色・表現等を変えることはできない。
【０００７】
つまり、音源回路を使った電子スネアドラムでは音の表現は選択した音源回路によって画一的に決められてしまうため、アコースチックスネアドラムと比較して表現力に欠け、叩き具合（演奏技術）によって音色や音の響き等の表現を変化させることができない欠点がある。
例えば、アコースチックスネアドラムは叩くスティックの種類の違いによって音色が以下のように変化する。最も多く使われる棒状の木でできたスティックは、打面に当たる先端部分が硬く、音も比較的硬い音色となる。マレットと呼ばれる先端部分にゴム、毛糸、フェルトなどの柔らかい材質を用いたスティックで叩くとアタック感の少ない丸みのある音色が得られる。ブラシと呼ばれる先端が鋼線やナイロンの材質によるブラシ状になったスティックで叩くと、アタックにノイズ成分が含まれたソフトな音色で、音量も比較的小さなものになる。
【０００８】
アコースチックスネアドラムは叩く強さによる音量変化だけではなく同時に音の周波数成分が変化し、その結果音色も変化する。また奏法によっても音色を変化させる感情表現が可能であるが、例えば「ミュート」と呼ばれるドラムヘッドを叩いて鳴らした後でドラムヘッドの振動を手やスティックで押さえて音を止めたりサスティーンを短くする奏法がある。また「リムショット」と呼ばれる金属や木製であるフープのへり（リム）をスティックで叩いて「コン」という音の立ち上がりが速く硬質な音色を得る奏法や、「オープンリムショット」と呼ばれるドラムヘッドとリムを同時に叩いてアタックを強調した音色を得る奏法（アクセントを強調するために行う）などがある。演奏者はリズムを刻むのと同時に、これらの音色変化を利用して演奏表現を行う。
【０００９】
電子スネアドラムにおいては、これらの音の表現が音源回路で選択した音色によって画一的に決められてしまう。例えば、ブラシで叩いた音色を出すには音源回路でブラシの音の波形を選択することでブラシの音色を出すが、これはスティックの先端の材質とは関係なくブラシの音色となるので、演奏者が木のスティックで叩いてもマレットで叩いてもブラシの音色となってしまい、スティックの種類の違いで音色をコントロールすることはできない。
【００１０】
また、音のサスティーン（音の余韻）は音源回路の設定で決まるので打面を押さえて音のサスティーンを短くする「ミュート」奏法はできない。
また「リムショット」や「オープンリムショット」の音色を出すには、リムの部分に設置した打撃検出センサーで取り出した検出信号をドラムヘッドと別の音源回路に与え、リムショットの音の波形を発生するよう音色を選択することでその音色を出す従来例があるが、ドラムヘッドとリムの音色が別々の音源回路で、お互い関連性を持たずに鳴るので２つの音が分離して聞こえ不自然である。実際のアコースチックスネアドラムにおいてはリムショット奏法を行うと、スネアドラム全体が響くのでドラムヘッドやスナッピーが共振して一緒に鳴り、叩く場所や叩き方でそれらの共鳴が変わり音色が変化する。
【００１１】
つまり、電子スネアドラムの音色は音源回路が決定するので、演奏者は叩き具合や奏法やスティックの種類を変えることで音色をコントロールすることができない。
この発明の目的は、アコースチックスネアドラムと同等の音色、サステーン、表現力（叩く強さや場所やスティックの違いによる音色変化等）を持ち、演奏においてもアコースチックスネアドラムと同等の奏法や音色コントロールが可能で、またスナッピーの当たり具合を調整してスナッピー音の音質調整が可能な電気スネアドラムを提供しようとするものである。
【００１２】
【課題を解決するための手段】
この発明の請求項１で提案する電気スネアドラムでは、円筒状の胴の一方の開口端面に金網または硬度が硬い材質の線材で形成した網状体を加張し、この網状体を第１網状ドラムヘッドとして利用すると共に、胴に第１振動ピックアップを装着し、この第１振動ピックアップによって第１網状ドラムヘッドの振動を電気信号に変換し、電気ドラム信号として電気コネクタを通じて出力する構成とすると共に、胴の内部に共鳴板と、この共鳴板に一端が支持され、他端が第１網状ドラムヘッドの裏面に弾性的に圧接されて配置される響き線と、共鳴板に設置した圧電変換素子とによって構成したスナッピー音発生手段を設け、このスナッピー音発生手段によりスナッピー信号を発生させ、このスナッピー信号を電気ドラム信号に加えることにより、スネアドラムの音を得るように構成したものである。
【００１３】
この発明の請求項３で提案する電気スネアドラム用拡声装置では、拡声装置側に白色ノイズ発生器と、この白色ノイズ発生器で発生する白色ノイズと電気ドラム信号とを乗算し、その乗算結果としてスナッピー信号を発生させるスナッピー音発生手段を設け、このスナッピー音発生手段で発生したスナッピー信号を電気ドラム信号に加え、スネアドラム音を得るように構成することができる。
【００１４】
この発明の請求項４で提案する電気スネアドラムでは胴の一方の開口面に第１網状ドラムヘッドを架設し、この第１網状ドラムヘッドの裏側に胴の直径方向に差し渡して互いに平行に配置した複数本の響き線によって構成したスナッピーを配置し、胴に第１振動ピックアップを配置した構成を提案する。
この構成によれば、第１網状ドラムヘッドを叩けばスナッピーも振動し、スナッピーによりスナッピー信号を生成することができる。
【００１５】
従って、第１網状ドラムヘッドの振動と、スナッピーの振動の双方が第１振動ピックアップによって電気信号に変換されるから、スナッピー信号を含むスネアドラム信号を得ることができる。
この発明の請求項５で提案する電気スネアドラムでは胴の一方の面と他方の面に第１網状ドラムヘッドと第２網状ドラムヘッドを装着すると共に、裏側に装着した第２網状ドラムヘッドの外面に複数本の響き線を平行に架張して構成したスナッピーを接触させて配置すると共に、第２網状ドラムヘッドとスナッピーの振動を検出する第２振動ピックアップを設ける。
【００１６】
この場合には、表側の第１網状ドラムヘッドをを叩くことにより、胴を通じて裏側の第２網状ドラムヘッドに振動が伝わり、裏側の第２網状ドラムヘッドも振動する。この結果、第２網状ドラムヘッドが振動することにより、これに接触して配置したスナッピーも振動し、この振動が第２振動ピックアップによって検出されてスナッピー信号を含むスネアドラム信号を得ることができる。
【００１７】
この発明の請求項６で提案する電気スネアドラムによれば、加張手段に第３振動ピックアップを装着したから、第１振動ピックアップ及び第２振動ピックアップから得られる電気スネアドラム信号に加えて、第３振動ピックアップから加張手段を構成するリムを叩くことにより発生するリムショット信号も得ることができる。
【００１８】
以上説明したこの発明の構成によれば、網状ドラムヘッドの振動に対応してスナッピー信号を発生させ、このスナッピー信号を電気ドラム信号に付加してスネアドラ音を得る構成としたから、網状ドラムヘッドの叩き具合（演奏技術）による音量変化や音色変化に追従したスネアドラム音の音色変化と減衰振動（サスティーン）が得られ、アコースチックスネアドラムと同等の演奏感を得ることができる。
【００１９】
従ってこの点で、この発明によればアコースチックスネアドラムと同等のスネアドラムの音色を得ることができる利点が得られる。
【００２０】
【発明の実施の形態】
図１にこの発明による請求項１で提案したスネアドラムの一実施例を示す。図１において１００は請求項１で提案した電気スネアドラム、２００は増幅器２０１とスピーカ２０２とによって構成される拡声装置を示す。この発明による電気スネアドラム１００は円筒状の胴１０１と、この胴１０１の一方の開口端面に張られた第１網状ドラムヘッド１０２Ａと、この第１網状ドラムヘッド１０２Ａに張力を与える加張手段１０３と、網状ドラムヘッド１０２Ａの振動を電気信号に変換し、電気ドラム信号ＤＳを発生する振動ピックアップ１０４Ａと、スナッピー音発生手段１２０と、このスナッピー音発生手段１２０が出力するスナッピー信号ＳＮＰを電気ドラム信号ＤＳに加えるミキサ装置１３０と、ミキサ装置１３０で加え合わせた信号を電気スネアドラム１００から取り出す電気コネクタ１４０とによって構成される。
【００２１】
胴１０１は例えば木製或いはアルミダイキャスト等の金属、強化プラスチック等で構成することができ、アコースチックドラムの胴をそのまま用いることもできる。請求項１で提案する電気スネアドラムの特徴とする構成は第１ドラムヘッドを網状とした点と、この第１網状ドラムヘッドの振動を第１振動ピックアップ１０４Ａによって電気的に取り出す点と、スナッピー音発生手段１２０により第１網状ドラムヘッド１０２Ａの振動に対応したスナッピー信号を発生させる構造とした点である。
【００２２】
スネアドラムの特徴とするスナッピー音発生手段１２０の構成を説明する前に、この発明の特徴の一つである第１網状ドラムヘッド１０２Ａを用いた電気ドラムの構成及びその特質について予め説明することにする。
第１網状ドラムヘッド１０２Ａの材質としては、硬度が硬い材質の線状で構成した網が望ましい。材質としては主に金網が考えられる。金網の中でも鋼性の高い、例えばステンレス鋼線、ニッケル線、ピアノ線等を用いることができる。また金網以外でも例えばカーボン繊維のように硬度が硬い材質の線材で編んだ網状体でもよい。
【００２３】
第１網状ドラムヘッド１０２Ａに張力を与える加張手段１０３はアコースチックドラムの場合と同様に胴１０１の上端側と下端側に配置したフープ１０３Ａとフレーム１０３Ｂ及びこれら間を締め付けるテンションボルト１０３Ｃとによって構成され、この加張手段１０３によって胴１０１の一方の開口端面に適当な張力が与えられて張られる。なお、フープ１０３Ａの上部側をリムと呼んでいる。以下リムに符号１０３Ｄを付して説明する。
【００２４】
第１振動ピックアップ１０４Ａは、例えば圧電素子或いは電磁変換素子等の振動ピックアップを用いることができ、圧電素子の場合は胴１０１の内壁或いは第１網状ドラムヘッド１０２Ａと胴１０１との接合面の部分等に直接装着して第１網状ドラムヘッド１０２Ａの振動を検出する。
図２に示す実施例では電気ドラムの第１振動ピックアップ１０４Ａを圧電素子とした場合を示す。この実施例では胴１０１の上端側、つまり第１網状ドラムヘッド１０２Ａと接触する面に切欠１０５を形成し、この切欠１０５内に第１振動ピックアップ１０４Ａを格納し、その上に図３に示すように振動受駒１０６を被せて第１振動ピックアップ１０４Ａを保護すると共に、第１網状ドラムヘッド１０２Ａの振動をこの振動受駒１０６を通じて第１振動ピックアップ１０４Ａに伝達させるように構成することができる。振動受駒１０６は金属或いは木製乃至は強化プラスチック等で構成することができる。振動受駒１０６を金属とした場合は高音が強調された音色が得られる。また木製或いは強化プラスチックによって構成した場合は、低音乃至中、低音域が強調された音色が得られる。また振動受駒１０６を金属とした場合には圧電素子ＡＺに被着形成した一方の電極ＡＷを共通電位（アース電位）とすることにより、この共通電位に振動受駒１０６を接触させることにより、圧電素子ＡＺをシールドすることができ、電気的なノイズの混入を阻止することができる利点が得られる。
【００２５】
このように構成した電気スネアドラム１００をステック（特に図示しない）で叩くことにより第１網状ドラムヘッド１０２Ａが振動し、その振動が図２及び図３に示す実施例では振動受駒１０６を介して第１振動ピックアップ１０４Ａに伝わり、第１振動ピックアップ１０４Ａはその振動を電気ドラム信号ＤＳに変換し、その電気ドラム信号ＤＳをコネクタ１４０から出力し、拡声装置２００で音として放音させる。
【００２６】
この構成において直径が１０インチの胴に、線径が0.２２mmφのステンレス鋼線によりメッシュ＃３０（１インチ内にある目の数）で構成される金網を第１網状ドラムヘッド１０２Ａとして用いたところ、低域から高域まで含んだ自然な（ドラムらしい）音色が得られた。
一方、線径が0.１４mmφのステンレス鋼線によりメッシュ＃５０で構成される金網を第１網状ドラムヘッド１０２Ａとして用いたところ、特定の高域倍音が多く低域が少ない。アコースチックドラムで言えば薄いドラムヘッドを張ったドラム、いわゆるタンバリン系の音色が得られた。
【００２７】
次に、線径が0.２９mmφのステンレス鋼線によりメッシュ＃１６で構成される金網を第１網状ドラムヘッド１０２Ａとして用いたところ、金属質の倍音を多く含んだメタル・パーカッションのような音色が得られた。
網の材質として、例えば軟質樹脂を被膜した金属線を用いた場合は、金属質な倍音が低減した音色が得られる。また金網に樹脂をコーティングしても同様の効果が得られた。
【００２８】
上述したように、第１網状ドラムヘッド１０２Ａの材質及び網に表面加工を施したり、網を構成する線材の直径、網のメッシュ＃を変えることによって音色を変えることができる。
以上により、この発明の特徴の一つとする電気ドラムの基本構成が理解できよう。
【００２９】
次に、請求項１によるスネアドラムの要部となるスナッピー音発生手段１２０の構成を詳細に説明する。スナッピー音発生手段１２０は図２に示すように、フレーム１０３Ｂと一体に形成した平板部１２１に支持することができる。平板部１２１には軸承１２２を板面から突出して設けられ、この軸承１２２にくの字に折曲形成した回動支持片１２３を回動自在に支持する。回動支持片１２３の一方の突片に長孔を形成し、この長孔に平板部１２１から突出させた調整ネジ１２４を貫通させ、この調整ネジ１２４によって回動支持片１２３の回動姿勢を任意の角度位置に設定できるように構成する。このためには、図４及び図５に示すように平板部１２１と回動支持片１２３との間にスプリング１２５を装着し、このスプリング１２５によって回動支持片１２３に一方向の回転偏倚力を与える構成としている。
【００３０】
回動支持片１２３の他端側には共鳴板１２６を装着する。この共鳴板１２６は薄板で構成され、材質は比較的硬質で剛性のある（腰が強い）合成樹脂フイルム或いはバネ性（弾性）のある薄い金属板を用いることができる。具体的には合成樹脂フイルムであれば厚みが例えば１００〜３００μm 程度のポリエチレンテレフタレート、金属板であれば厚みが0.１mm程度のステンレス鋼を用いることができる。
【００３１】
共鳴板１２６の表側には響き線１２７が響き線保持金具１２７Ａと取付ネジ１２７Ｂによって共鳴板１２６に抑え付けられて装着される。響き線１２７は複数本の鋼線またはステンレス鋼線、真鍮線等の金属線或いはポリプロピレン、ナイロン等の樹脂材料等によって構成することができる。複数本の響き線１２７は一端側（取付側）が響き線保持金具１２７Ａに溶接等で固定されて一体化され、他端側（第１網状ドラムヘッド１０２Ａに接触する側）は自由端とされる。各響き線１２７は波形に形成され、この波形によって共鳴板１２６に対して多点状に接触させ、響き線１２７が振動することにより、共鳴板１２６を多点で叩く構造としている。共鳴板１２６の裏側には圧電変換器１２８を貼着し、共鳴板１２６の振動を電気信号に変換させ、スナッピー信号を発生させる。このスナッピー信号は図１及び図２に示すミキサ装置１３０で第１振動ピックアップ１０４Ａで得られる電気ドラム信号ＤＳと加算し、拡声装置２００に送られる。
【００３２】
図４は響き線１２７の遊端が第１網状ドラムヘッド１０２Ａの裏面に弾接している状態を示すが、調整ネジ１２４を調整することにより図５に示すように響き線１２７の遊端を第１網状ドラムヘッド１０２Ａから離し、スナッピーオフの状態に設定することができる構造としている。
図４に示す状態において、第１網状ドラムヘッド１０２Ａが叩かれると、響き線１２７が第１網状ドラムヘッド１０２Ａを介して励振され、響き線１２７が振動する。響き線１２７が振動することにより、響き線１２７によって共鳴板１２６が多点で叩かれ「ザー、ザー」と言うスナッピー信号ＳＮＰを発生する。このスナッピー信号ＳＮＰが電気ドラム信号に加算されて拡声装置２００に送られるから、拡声装置２００はドラム音に「ザー、ザー」と言うスナッピー信号を付加したスネアドラム音を放音する。スナッピー音は第１網状ドラムヘッド１０２Ａが振動している間接続して付加され、アコースチックスネアドラムと同等の音色変化と減衰振動（サスティーン）が得られる。
【００３３】
ここで、請求項１で提案した電気スネアドラムがアコースチックスネアドラムと同等の音色変化とサスティーンが得られる理由について説明する。この発明では響き線１２７は第１網状ドラムヘッド１０２Ａに弾性的に圧接しているので、第１網状ドラムヘッド１０２Ａの振動の大きさの変化に伴って響き線１２７の振動も変化する。すなわち、第１網状ドラムヘッド１０２Ａが強く叩かれて大きく振動すると響き線１２７も大きく振動し、共鳴板１２６を強く叩き、また多点状に接触している共鳴板１２６を叩く点数も増えて、スナッピー音は比較的大きな音量になり音色も荒々しい肌理（きめ）のあらい音となる。一方、第１網状ドラムヘッド１０２Ａが弱く叩かれた場合は響き線１２７は小さく振動し共鳴板１２６を弱く叩き、また多点状に接触している共鳴板１２６を叩く点数が減って、スナッピー音は比較的小さな音量になり音色も優しい肌理の細かい音となる。次に、響き線１２７はその極一部、つまり遊端を第１網状ドラムヘッド１０２Ａの裏側に弾接させ、第１網状ドラムヘッド１０２Ａに対して粗の状態で結合させたから、第１網状ドラムヘッド１０２Ａが振動する状態の負荷としては軽い状態で結合していると見ることができる。
【００３４】
従って、第１網状ドラムヘッド１０２Ａの振動で発生する電気ドラム信号ＤＳのサスティーンも充分得られ、更にその第１網状ドラムヘッド１０２Ａの振動の状態に追従してスナッピー音が付加されるから、アコースチックのスネアドラムに近い音が得られることになる。
また、図４が示す状態において、調整ネジ１２４を調整することで、回転支持片１２３の角度が変化し、それに伴って第１網状ドラムヘッド１０２Ａに対する響き線１２７の接触の仕方（接触の強さ）が変化し音色とサスティーンをコントロールすることができる。例えば、響き線１２７を第１網状ドラムヘッド１０２Ａに強く圧接させるほど、それだけ第１網状ドラムヘッド１０２Ａに対する振動の負荷が増えてミュートする度合いが大きくなり電気ドラム信号ＤＳのサスティーンが短くなって、また響き線１２７と共鳴板１２６の接触の強さが増すので中低域が強調されたスナッピー音となり、結果としてアタックの効いた短めのスネアドラム音を得ることができる。
【００３５】
以上説明した実施例では、スナッピー信号ＳＮＰを機械式のスナッピー音発生手段１２０によって発生させる構造の実施例を説明したが、スナッピー信号ＳＮＰを電子回路によって発生させることもできる。図６以下に電子スナッピー音発生手段を内蔵した電子スネアドラム用拡声装置の実施例を示す。
図６以下に示す２１０は電子回路によって構成した電子スナッピー音発生手段を示す。図６に示す拡声装置２００の入力端子２０１には、図１及び図２に示した電気スネアドラム１００からスナッピー音発生手段１２０を除去した構造の電気ドラム、つまり第１振動ピックアップ１０４Ａが出力する電気ドラム信号ＤＳを入力するものとする。
【００３６】
電気ドラム信号ＤＳは入力端子２０１から加算器２０２を通じて増幅器２０３に入力され、増幅器２０３で増幅されてスピーカ２０４からドラム音として放音される。２２０は電気ドラム信号ＤＳに倍音成分を付加してスピーカ２０４から放音されるドラム音の音色をアコースチックドラムの音色に近づけるための音色改善回路を示す。
【００３７】
つまり、この音色改善回路２２０はこの例では増幅器２２１と、倍音生成回路２２２と、フィルタ２２３とによって構成した場合を示す。増幅器２２１は入力端子２０１に入力される電気ドラム信号ＤＳを所定レベルまで増幅し、その増幅出力を倍音生成回路２２２に入力する。倍音生成回路２２２は例えば両波整流回路、単波整流回路或いは飽和増幅器等の非線形電子回路で構成することができ、主に偶数倍の高周波成分を生成させ、この高周波成分をフィルタ（例えばバンドパスフィルタ）により可聴周波数帯の高周波成分を取り出し、この高周波成分を加算器２０２で電気ドラム信号ＤＳに加算し、この高周波成分を加算した電気ドラム信号を増幅器２０３で増幅し、スピーカ２０４から放音させることにより、そのドラム音は倍音成分に富み、より一層アコースチックドラムに近い音色となる。
【００３８】
電子スナッピー音発生手段２１０は、例えば白色ノイズ発生器２１１と、フィルタ２１２と、乗算器２１３と、フィルタ２１４とによって構成することができる。乗算器２１３では白色ノイズ発生器２１１で発生した白色ノイズに倍音生成回路２２２で発生した倍音成分を積分器２１５を通じて取り出して乗算し、その乗算出力に電気ドラム信号ＤＳのエンベロープの変化に追従して変化する白色ノイズ成分を得る。フィルタ２１４はその白色ノイズ成分からスナッピー信号ＳＮＰに適した周波数のノイズ成分を抽出し加算器２０２に送り込む。
【００３９】
従って、加算器２０２の出力側には電気ドラム信号ＤＳに倍音成分とスナッピー信号ＳＮＰとが加算されたスネアドラム信号ＳＮＤが得られ、このスネアドラム信号ＳＮＤを増幅器２０３で増幅し、スピーカ２０４を駆動することによりスピーカ２０４からスネアドラム音を放音させることができる。
図７に倍音生成回路２２２と積分器２１５の具体的な実施例を示す。図７に示す実施例では、倍音生成回路２２２を全波整流回路で構成し、その全波整流回路で電気ドラム信号ＤＳを全波整流し、その全波整流した整流出力信号ＤＤＳを倍音成分としてフィルタ２２３に供給すると共に、その一部を積分器２１５に分岐し、積分器２１５を通じて電気ドラム信号ＤＳのエンベロープ信号を抽出する。積分器２１５としては、最も簡素な例としてダイオードＤとコンデンサＣとによって構成される急速充電回路と、抵抗器Ｒとによって構成する遅速放電回路とによって構成することができ、その出力には整流出力信号ＤＤＳを平滑したエンベロープ検出信号ＥＯとなる。このエンベロープ検出信号ＥＯを乗算器２１３に与えることにより、このエンベロープ検出信号ＥＯのレベルに対応したレベルを持つ白色ノイズを抽出することができる。なお、フィルタ２１４の出力側等にスイッチ２１６を設け、必要に応じてスナッピー信号ＳＮＰを遮断することができる構成としておくことにより、スナッピーオフの状態を設定できるように構成することができる。また、図１乃至図５に示した機械式のスナッピー音発生手段１２０と、電子スナッピー音発生手段２１０とを併用することにより、スナッピーのよく利いたスネアドラム音を得ることができることは容易に理解できよう。
【００４０】
図８はこの発明の請求項４で提案する電気スネアドラムの実施例を示す。請求項４で提案する電気スネアドラムは胴１０１の一方の開口面にスナッピー音発生手段１２０を差し渡って配置すると共に、このスナッピー音発生手段１２０の上面に第１網状ドラムヘッド１０２Ａを被せ、胴１０１の他端の開口面は開放状態のままとした構成とした電気スネアドラムを提案するものである。
【００４１】
ここで、この請求項４で提案する電気スネアドラムに用いるスナッピー音発生手段１２０は通常のアコースティックスネアドラムに用いられているスナッピーと同様のスナッピーを用いる。つまり、通常のアコースティックスネアドラムに用いられているスナッピーは図８に示すように複数本の響き線（スプリング状に巻回されたバネ線）を平行に架設し、ストレイナと呼ばれている切替手段１５０によってベルト１５２を介して張った状態と緩めた状態に切り替えられる。１５１はこの切替えを行う操作レバーを示す。胴１０１にはベルト１５２を通過させる切欠１０１Ａを形成し、この切欠にベルト１５２を通すことによって第１網状ドラムヘッド１０２Ａに張力が与えられても、スナッピー音発生手段１２０を独立して切替え操作することができるように構成した場合を示す。
【００４２】
請求項４で提案する電気スネアドラムは上述した構成であるが、請求項６で提案する電気スネアドラムは請求項４で提案した電気スネアドラムの構成に加えて加張手段１０３に第３振動ピックアップ１０４Ｃを装着した構成を提案するものである。
図８に示す実施例では加張手段１０３を構成するラグ１０３Ｅに第３振動ピックアップ１０４Ｃを装着した場合を示す。ラグ１０３Ｅは胴１０１の周面に突出して設けられ、上面側にネジ孔１０３Ｆを有し、このネジ孔１０３Ｆにテンションボルト１０３Ｃを螺合させてフープ１０３Ａをこのラグ１０３Ｅに向かって引き寄せ、ラグ１０３Ｅに向かって引き寄せる力によって第１網状ドラムヘッド１０２Ａに張力を与える。
【００４３】
ラグ１０３Ｅに第３振動ピックアップ１０４Ｃを装着することによりリム１０３Ｄを叩くと、その衝撃がテンションボルト１０３Ｃを通じてラグ１０３Ｅに伝達され、第３振動ピックアップ１０４Ｃで電気信号に変換される。
このように第３振動ピックアップ１０４Ｃを設けたことにより、第１網状ドラムヘッド１０２Ａを叩くことによって発生するスネアドラム信号に加えて第３振動ピックアップ１０４Ｃによりリム１０３Ｄを叩いて発生する、いわゆるリムショット信号を発生させることができる。これらのスネアドラム信号とリムショット信号をミキサ装置１３０により混合して電気コネクタ１４０から取り出し、その合成信号を図６または図７に示した拡声装置２００に入力することにより、拡声装置２００からスネアドラム音に加えてリムショット音を発音させることができる。
【００４４】
図９乃至図１１に図８に示した電気スネアドラムの各部の詳細構造を示す。図９ではラグ１０３Ｅの取付構造と、第１振動ピックアップ１０４Ａと第３振動ピックアップ１０４Ｃの取付構造の詳細を示す。なお、この図９ではスナッピー音発生手段１２０は省略して示している。
図１０にスナッピー音発生手段１２０の架張状況と切替手段１５０の取付構造を示す。この図１０ではスナッピー音発生手段１２０に張力を与え、第１網状ドラムヘッド１０２Ａにスナッピー音発生手段１２０を接触させている状況を示す。つまり、スナッピーオンの状態を示している。図１１はスナッピー音発生手段１２０を緩め、スナッピーオフの状態を示す。
【００４５】
図１２はこの発明の請求項５で提案する電気スネアドラムの構成と、請求項６で提案する電気スネアドラムの実施例を示す。請求項５で提案する電気スネアドラムは胴１０１の一方と他方の開口に第１網状ドラムヘッド１０２Ａと第２網状ドラムヘッド１０２Ｂを装着すると共に、裏側（打面とは反対側の面）に配置した第２網状ドラムヘッド１０２Ｂの外側の面にスナッピー音発生手段１２０を装着した構成としたものである。
【００４６】
このように、打面とは反対側の面に装着した第２網状ドラムヘッド１０２Ｂにスナッピー音発生手段１２０を接触させて設けても、第２網状ドラムヘッド１０２Ｂは表側の第１網状ドラムヘッド１０２Ａが叩かれて振動すると、その振動が胴１０１を通じて第２網状ドラムヘッド１０２Ｂに伝達され、第２網状ドラムヘッド１０２Ｂも振動する。この結果、スナッピー音発生手段１２０を励振し、スナッピー音に相当する振動を発生する。図１２に示す例では図１３に示すように胴１０１の下側の開口端に第２振動ピックアップ１０４Ｂを設け、この第２振動ピックアップ１０４Ｂによってスナッピー音発生手段１２０の振動を電気信号に変換し、ミキサ装置１３０で第１振動ピックアップ１０４Ａと第３振動ピックアップ１０４Ｃの各検出信号と共に加え合わせる構成とした場合を示す。
【００４７】
第２振動ピックアップ１０４Ｂは第１振動ピックアップ１０４Ａと同様の構造とすることができる。第３振動ピックアップ１０４Ｃは図１３に示す例ではラグ１０３Ｅを胴１０１に固定するネジによって振動受金具１０３Ｆを胴１０１の内周面に固定し、この振動受金具１０３Ｆに第３振動ピックアップ１０４Ｃと装着して支持した場合を示す。つまり、図１３に示す例では、振動受金具１０３Ｆをくの字状に折曲形成し、第２振動ピックアップ１０４Ｂを支持した部分を胴１０１の内周面から離れて支持し、その間隙部分に防振材１０３Ｇを挟み込んだ構造とした場合を示す。この防振構造により第３振動ピックアップ１０４Ｃにはリムショットに伴う衝撃だけが伝わり、第１及び第２網状ドラムヘッド１０２Ａ，１０２Ｂの各振動（ドラム音に相当する振動）は防振され、ドラム音とリムショット音の分離を確実に行うように構成した場合を示す。このようにドラム音とリムショット音の分離を確実にすることにより、ミキサ装置１３０における混合比を自由に設定できることになる。
【００４８】
図１３はスナッピーオンの状態、図１４はスナッピーオフの状態を示す。図１５は図１２で説明した請求項５と６で提案した電気スネアドラムを裏側から見た図を示している。
【００４９】
【発明の効果】
この発明による電気スネアドラムによれば、ドラムヘッドを叩く強さや叩く場所で変化する音色を得ることができて、更にスティックの種類を変えれば、そのスティックに対応した音色が得られる。また、ドラムヘッドを叩いて鳴らした後でドラムヘッドの振動を手やスティックで押さえて音のサスティーンを短くする「ミュート」と呼ばれる奏法や、リムを叩いて硬質な音色を得る「リムショット」や「オープンリムショット」と呼ばれる奏法が可能である。つまり、演奏技術によってドラムヘッドの振動を自在に変化させたり、リムを叩いて振動を与えることで、それらの振動の変化を音の変化として表現することができる。この結果アコースティックスネアドラムの奏法と何等変わることなく演奏することができる。
【００５０】
更に、この発明の電気スネアドラムでは、演奏者はアコースティックスネアドラムで行うのと同じ感覚でスナッピーの当たり具合を調整して好みの音色を作ったり、スナッピーをオフしたりすることができる。
【図面の簡単な説明】
【図１】この発明の請求項１で提案する電気スネアドラムの一実施例を説明するための配置図。
【図２】図１で説明した電気スネアドラムの構成を説明するための分解斜視図。
【図３】図１で説明した電気スネアドラムの基本となる電気ドラムの要部の構造を説明するための断面図。
【図４】請求項１で提案した電気スネアドラムに用いる機械式スナッピー音発生手段の一例を説明するための断面図。
【図５】図４に示した電気スネアドラムのスナッピーオフに設定した状態を説明するための図。
【図６】この発明の請求項３で提案した電子スネアドラム用拡声装置の一例を説明するためのブロック図。
【図７】図６に示した構成の一部を具体的に示した接続図。
【図８】この発明の請求項４で提案した電子スネアドラムの一実施例を説明するための分解斜視図。
【図９】図８に示した電気スネアドラムの一部の構造を詳細に示す断面図。
【図１０】図８に示した電気スネアドラムのスナッピーオンの状態を示す断面図。
【図１１】図８に示した電気スネアドラムのスナッピーオフの状態を示す断面図。
【図１２】この発明の請求項５で提案した電気スネアドラムの実施例を示す分解斜視図。
【図１３】図１２に示した電気スネアドラムの要部の構造とスナッピーオンの状態を説明するための断面図。
【図１４】図１２に示した電気スネアドラムのスナッピーオフの状態を説明するための断面図。
【図１５】図１２に示した電気スネアドラムを裏側から見た斜視図。
【符号の説明】
１００      電気スネアドラム
１０１      胴
１０２Ａ    第１網状ドラムヘッド
１０２Ｂ    第２網状ドラムヘッド
１０３      加張手段
１０４Ａ    第１振動ピックアップ
１０４Ｂ    第２振動ピックアップ
１０４Ｃ    第３振動ピックアップ
１０５      切欠
１０６      振動受駒
１２０      スナッピー音発生手段
１２１      平板部
１２２      軸承
１２３      回動支持片
１２４      調整ネジ
１２５      スプリング
１２６      共鳴板
１２７      響き線
２００      拡声装置
２０１      入力端子
２０２      加算器
２０３      増幅器
２０４      スピーカ
２１０      電子スナッピー音発生手段
２１１      白色ノイズ発生器
２２０      音色改善回路
【図１】
0003749788.tif 000002
【図２】
0003749788.tif 000003
【図３】
0003749788.tif 000004
【図４】
0003749788.tif 000005
【図５】
0003749788.tif 000006
【図６】
0003749788.tif 000007
【図７】
0003749788.tif 000008
【図８】
0003749788.tif 000009
【図９】
0003749788.tif 000010
【図１０】
0003749788.tif 000011
【図１１】
0003749788.tif 000012
【図１２】
0003749788.tif 000013
【図１３】
0003749788.tif 000014
【図１４】
0003749788.tif 000015
【図１５】
0003749788.tif 000016